【手続補正書】
【提出日】平成25年3月28日(2013.3.28)
【手続補正１】
【補正対象書類名】特許請求の範囲
【補正対象項目名】全文
【補正方法】変更
【補正の内容】
【特許請求の範囲】
【請求項１】
各々を識別可能な複数種類の識別情報の可変表示を行い表示結果を導出する可変表示手段を備え、識別情報の表示結果として予め定められた特定表示結果が導出されたときに、遊技者にとって有利な特定遊技状態に制御する遊技機であって、
識別情報の表示結果を前記特定表示結果とするか否かを、当該表示結果が導出表示される以前に決定する事前決定手段と、
前記事前決定手段の決定結果に基づいて、前記可変表示手段による識別情報の可変表示を制御する可変表示制御手段と、
前記事前決定手段の決定結果にもとづいて、予め定められた順番に従って１段階目の演出から複数段階目の演出までの複数の演出を段階的に行う予告演出であって、前記特定表示結果とする場合は前記特定表示結果としない場合よりも高い割合で予め定められた段階目の演出まで演出が行われるステップアップ予告演出を決定する予告演出決定手段と、
前記予告演出決定手段により決定された前記ステップアップ予告演出を実行する予告演出実行手段と、
を備え、
前記予告演出実行手段は、前記予告演出決定手段の決定結果に基づいて、前記１段階目の演出を実行するとともに、前記第１段階目の演出の第１方向に２段階目の演出を、該第１方向とは異なる第２方向に前記予め定められた段階目の演出を表示した後、該第１方向に遷移して該２段階目の演出を実行する通常ステップアップ演出と、該第２方向に遷移することを示唆する示唆演出を実行した後、該第２方向に遷移して前記予め定められた段階目の演出を実行する特定ステップアップ演出と、のいずれかを実行する、
ことを特徴とする遊技機。
【手続補正２】
【補正対象書類名】明細書
【補正対象項目名】０００７
【補正方法】変更
【補正の内容】
【０００７】
（１）上記目的を達成するため、本願の第１の観点に係る遊技機は、
各々を識別可能な複数種類の識別情報（例えば特別図柄や飾り図柄など）の可変表示を行い表示結果を導出表示する可変表示手段（例えば第１及び第２特別図柄表示装置４Ａ、４Ｂや画像表示装置５など）を備え、識別情報の表示結果として予め定められた特定表示結果（例えば大当り図柄となる特別図柄や大当り組合せの確定飾り図柄など）が導出されたときに、遊技者にとって有利な特定遊技状態（例えば大当り遊技状態など）に制御する遊技機（例えばパチンコ遊技機１など）であって、
識別情報の表示結果を前記特定表示結果とするか否かを、当該表示結果が導出表示される以前に決定する事前決定手段（例えばステップＳ１１０の特別図柄通常処理を実行するＣＰＵ１０３など）と、
前記事前決定手段の決定結果に基づいて、前記可変表示手段による識別情報の可変表示を制御する可変表示制御手段（例えばステップＳ１７２の可変表示中演出処理を実行する演出制御用ＣＰＵ１２０など）と、
前記事前決定手段の決定結果にもとづいて、予め定められた順番に従って１段階目の演出から複数段階目の演出までの複数の演出を段階的に行う予告演出であって、前記特定表示結果とする場合は前記特定表示結果としない場合よりも高い割合で予め定められた段階目の演出まで演出が行われるステップアップ予告演出を決定する予告演出決定手段（例えばステップＳ５２８のステップアップ表示決定処理を実行する演出制御用ＣＰＵ１２０など）と、
前記予告演出決定手段により決定された前記ステップアップ予告演出（例えば「ステップアップ表示」の予告演出など）を実行する予告演出実行手段（例えばステップアップ表示処理を実行する演出制御用ＣＰＵ１２０など）と、
を備え、
前記予告演出実行手段は、前記予告演出決定手段の決定結果に基づいて、前記１段階目の演出を実行するとともに、前記第１段階目の演出の第１方向（例えば時計回りの方向など）に２段階目の演出を、該第１方向とは異なる第２方向（例えば反時計回りの方向など）に前記予め定められた段階目の演出を表示した後、該第１方向に遷移（例えば時計回りに回転など）して該２段階目の演出を実行する通常ステップアップ演出（例えば例えば図１６（Ａ）及び（Ｂ）に示す「ステップアップ表示」の予告演出など）と、該第２方向に遷移（例えば反時計回りに回転など）することを示唆する示唆演出（例えば図１７（Ａ）〜（Ｃ）に示すキャラクタＣによる演出など）を実行した後、該第２方向に遷移して前記予め定められた段階目の演出を実行する特定ステップアップ演出（例えば例えば図１７（Ｃ）〜（Ｅ）に示す「ステップアップ表示」の予告演出など）と、のいずれかを実行する、
ことを特徴とする。
【手続補正３】
【補正対象書類名】明細書
【補正対象項目名】０００８
【補正方法】変更
【補正の内容】
【０００８】
このような構成によれば、特定ステップアップ演出では、１段階目の演出から、２段階目の演出等を飛ばして、２段階目の演出よりも特定表示結果となる可能性が高い予め定められた段階目の演出がいきなり行われるので、遊技興趣を向上させることができる。
【手続補正４】
【補正対象書類名】明細書
【補正対象項目名】０００９
【補正方法】変更
【補正の内容】
【０００９】
（２）上記（１）の遊技機において、
前記ステップアップ演出実行手段は、複数種類の予め定められた段階目の演出のうちから選択された予め定められた段階目の演出を、１段階目の演出及び２段階目の演出とともに表示する（例えば演出制御用ＣＰＵ１２０は、ステップＳ５２８のステップアップ表示決定処理にて決定されたステップ数に対応する演出を、１段階目の演出及び２段階目の演出とともに表示する）、ようにしてもよい。
【手続補正５】
【補正対象書類名】明細書
【補正対象項目名】００１０
【補正方法】変更
【補正の内容】
【００１０】
このような構成によれば、複数種類の予め定められた段階目の演出のうちから選択された予め定められた段階目の演出を表示することができるため、遊技興趣を向上させることができる。
【手続補正６】
【補正対象書類名】明細書
【補正対象項目名】００１１
【補正方法】変更
【補正の内容】
【００１１】
（３）上記（１）又は（２）の遊技機において、
遊技者によって操作可能な操作手段（例えばプッシュボタン３１Ｂなど）をさらに備え、
前記予告演出実行手段は、遊技者によって前記操作手段が操作されたことを条件に、前記特定ステップアップ演出を実行する（例えば演出制御用ＣＰＵ１２０は、ステップＳ６２３にて押引操作が検出されたことを条件に、ステップＳ６２９の処理を実行する）、ようにしてもよい。
【手続補正７】
【補正対象書類名】明細書
【補正対象項目名】００１３
【補正方法】変更
【補正の内容】
【００１３】
（４）上記（１）〜（３）のいずれかの遊技機において、
前記事前決定手段の決定結果に基づいて、前記可変表示制御手段の制御によって前記識別情報の可変表示が開始されてから前記表示結果が導出表示されるまでに、所定の特定演出（例えば擬似連変動）を所定回数繰り返し実行する特定演出実行手段（例えばステップＳ１７２の可変表示中演出処理にて「擬似連」の可変表示演出を実行する演出制御用ＣＰＵ１２０など）をさらに備え、
前記予告演出実行手段は、前記特定演出実行手段によって前記所定の特定演出が実行される毎に、前記通常ステップアップ演出と前記特定ステップアップ演出とのいずれかを実行し、前記所定の特定演出の実行に対応して前記特定ステップアップ演出を実行した場合、前記表示結果が導出表示されるまで予告演出として前記特定ステップアップ演出のみを実行する（例えば演出制御用ＣＰＵ１２０は、回転方向バッファ値が“１”である場合、ステップＳ６３５の処理とともにステップＳ６３７の処理を実行する一方で、回転方向バッファ値が“２”である場合、ステップＳ６３５の処理を実行するが、ステップＳ６３７の処理は実行しない）、ようにしてもよい。
【手続補正８】
【補正対象書類名】明細書
【補正対象項目名】００１５
【補正方法】変更
【補正の内容】
【００１５】
（５）上記（１）〜（４）のいずれかの遊技機において、
前記ステップアップ演出実行手段は、前記通常ステップアップ演出において、１段階目の演出から予め定められた段階目の演出までを循環的に表示する（例えば演出制御用ＣＰＵ１２０は、図１６（Ａ）及び（Ｂ）並びに図１７に示す演出画像を表示する）、ようにしてもよい。
【手続補正９】
【補正対象書類名】明細書
【補正対象項目名】００１６
【補正方法】変更
【補正の内容】
【００１６】
このような構成によれば、１段階目の演出から予め定められた段階目の演出までを循環的に表示することにより、各段階の演出が繋がっているように見えるので、各段階の演出の関連性を明確にすることができる。